【手続補正書】
【提出日】平成18年12月7日(2006.12.7)
【手続補正１】
【補正対象書類名】明細書
【補正対象項目名】発明の名称
【補正方法】変更
【補正の内容】
【発明の名称】画像処理装置及びその制御方法
【手続補正２】
【補正対象書類名】明細書
【補正対象項目名】特許請求の範囲
【補正方法】変更
【補正の内容】
【特許請求の範囲】
【請求項１】
画像データ、及び、当該画像データの各画素毎の、複数ビットで表わされる像域属性データを圧縮符号化する画像処理装置であって、
入力した画像データを、画像用の圧縮パラメータに従って圧縮符号化する第１の画像符号化手段と、
該第１の画像符号化手段で生成された符号化データを復号し、前記画像用の圧縮パラメータに従って再圧縮符号化する第２の画像符号化手段と、
入力した像域属性データを、像域用の圧縮パラメータに従って圧縮符号化する第１の属性符号化手段と、
該第１の属性符号化手段で生成された符号化データを復号し、復号して得た像域属性データ中の、前記像域用の圧縮パラメータによって特定されるビットの像域属性を、他の像域属性を示す値に変換し、再圧縮符号化を行う第２の属性符号化手段と、
前記第１の画像符号化手段、及び、前記第１の属性符号化手段で圧縮符号化している最中の、それぞれにより生成される符号化データのデータ量の合算符号量が設定量に達したか否かを判断する監視手段と、
該監視手段により、前記合算符号量が前記設定量に達したと判断された場合、前記第１の画像符号化手段で生成された符号化データのデータ量と、前記第１の属性符号化手段で生成された符号化データのデータ量の相関関係に基づいて、圧縮パラメータの更新対象として、前記第１、第２の画像符号化手段とするか、前記第１、第２の属性符号化手段とするかを決定する決定手段と、
該決定手段によって、圧縮パラメータの更新対象を前記第１、第２の画像符号化手段と決定した場合、前記第１、第２の画像符号化手段の画像用の圧縮パラメータを更新し、前記設定量に達したと判断された後に入力される画像データについては更新後の画像用の圧縮パラメータに従って前記第１の画像符号化手段で圧縮符号化させ、前記設定量に達したと判断される以前に前記第１の画像符号化手段で生成された符号化データについては、更新後の画像用の圧縮パラメータに従って前記第２の画像符号化手段で再圧縮符号化を行なわせ、
前記決定手段によって、圧縮パラメータの変更対象を前記第１、第２の属性符号化手段と決定した場合、前記第１、第２の属性符号化手段の像域用の圧縮パラメータを更新し、前記設定量に達したと判断された後に入力される像域属性データについては更新後の像域用の圧縮パラメータに従って前記第１の属性符号化手段で圧縮符号化させ、前記設定量に達したと判断された以前に前記第１の属性符号化手段で生成された符号化データについては、更新後の像域用の圧縮パラメータに従って前記第２の属性符号化手段で再圧縮符号化を行なわせる制御手段と
を備えることを特徴とする画像処理装置。
【請求項２】
前記決定手段は、予め設定された画像データの符号化データ量と像域属性データの符号化データ量の比と、前記第１の画像符号化手段で生成された符号化データのデータ量と前記第１の属性符号化手段で生成された符号データのデータ量の比に基づき、圧縮パラメータの更新対象を決定することを特徴とする請求項１に記載の画像処理装置。
【請求項３】
前記決定手段は、
予め設定された画像データの符号化データ量と像域属性データの符号化データ量の比と、前記第１の画像符号化手段で生成された符号化データのデータ量と前記第１の属性符号化手段で生成された符号データのデータ量の比に基づき、圧縮パラメータの更新対象と圧縮パラメータを仮決定する第１の手段と、
該第１の手段で、仮決定された圧縮パラメータの更新対象及び圧縮パラメータでもって再圧縮させた場合に要する再圧縮予測時間と、前記設定量に再び到達する予測到達時間とを演算する第２の手段と、
該第２の手段で得られた再圧縮予測時間と予測到達時間が、
再圧縮予測時間＜予測到達時間
の条件を満たす場合、前記仮決定した圧縮パラメータ変更対象及び圧縮パラメータを最終決定とする第３の手段と、
前記条件が満たされない場合、前記仮決定で圧縮符号化させたと仮定した際の前記画像データの推定符号量及び前記像域属性データの推定符号量を、前記第１の手段における画像データの符号化データのデータ量及び前記像域属性データの符号化データのデータ量として前記第１乃至第３の手段を繰り返させる第４の手段と
を含むことを特徴とする請求項１に記載の画像処理装置。
【請求項４】
前記第１の手段は、圧縮パラメータを更新する対象と圧縮パラメータを決定した場合、もう一方の対象の圧縮パラメータについては低い圧縮率となる圧縮パラメータで仮決定することを特徴とする請求項３に記載の画像処理装置。
【請求項５】
画像データ、及び、当該画像データの各画素毎の、複数ビットで表わされる像域属性データを圧縮符号化する画像処理装置の制御方法であって、
第１の画像符号化手段が、入力した画像データを、画像用の圧縮パラメータに従って圧縮符号化する第１の画像符号化工程と、
第２の画像符号化手段が、該第１の画像符号化工程で生成された符号化データを復号し、前記画像用の圧縮パラメータに従って再圧縮符号化する第２の画像符号化工程と、
第１の属性符号化手段が、入力した像域属性データを、像域用の圧縮パラメータに従って圧縮符号化する第１の属性符号化工程と、
第２の属性符号化手段が、該第１の属性符号化工程で生成された符号化データを復号し、復号して得た像域属性データ中の、前記像域用の圧縮パラメータによって特定されるビットの像域属性を、他の像域属性を示す値に変換し、再圧縮符号化を行う第２の属性符号化工程と、
監視手段が、前記第１の画像符号化工程、及び、前記第１の属性符号化工程で圧縮符号化している最中の、それぞれにより生成される符号化データのデータ量の合算符号量が設定量に達したか否かを判断する監視工程と、
該監視工程により、前記合算符号量が前記設定量に達したと判断された場合、前記第１の画像符号化工程で生成された符号化データのデータ量と、前記第１の属性符号化工程で生成された符号化データのデータ量の相関関係に基づいて、圧縮パラメータの更新対象として、前記第１、第２の画像符号化工程とするか、前記第１、第２の属性符号化工程とするかを、決定手段が決定する決定工程と、
制御手段が、
該決定工程によって、圧縮パラメータの更新対象を前記第１、第２の画像符号化工程と決定した場合、前記第１、第２の画像符号化工程の画像用の圧縮パラメータを更新し、前記設定量に達したと判断された後に入力される画像データについては更新後の画像用の圧縮パラメータに従って前記第１の画像符号化工程で圧縮符号化させ、前記設定量に達したと判断される以前に前記第１の画像符号化工程で生成された符号化データについては、更新後の画像用の圧縮パラメータに従って前記第２の画像符号化工程で再圧縮符号化を行なわせ、
前記決定工程によって、圧縮パラメータの変更対象を前記第１、第２の属性符号化工程と決定した場合、前記第１、第２の属性符号化工程の像域用の圧縮パラメータを更新し、前記設定量に達したと判断された後に入力される像域属性データについては更新後の像域用の圧縮パラメータに従って前記第１の属性符号化工程で圧縮符号化させ、前記設定量に達したと判断された以前に前記第１の属性符号化工程で生成された符号化データについては、更新後の像域用の圧縮パラメータに従って前記第２の属性符号化工程で再圧縮符号化を行なわせる制御工程と
を備えることを特徴とする画像処理装置の制御方法。
【請求項６】
画像データ、及び、当該画像データの各画素毎の、複数ビットで表わされる像域属性データを圧縮符号化する画像処理装置であって、
入力した画像データを、第１の圧縮パラメータに従って圧縮符号化する第１の画像符号化手段と、
入力した画像データを、前記第１の圧縮パラメータでの圧縮率よりも高い第２の圧縮パラメータに従って圧縮符号化する第２の画像符号化手段と、
該第２の画像符号化手段で生成された符号化データを復号し、第３の圧縮パラメータに従って、再圧縮符号化する第３の画像符号化手段と、
入力した像域属性データを、第４の圧縮パラメータに従って圧縮符号化する第１の属性符号化手段と、
入力した像域属性データを、前記第４の圧縮パラメータでの圧縮率よりも高い第５の圧縮パラメータに従って圧縮符号化する第２の属性符号化手段と、
該第２の属性符号化手段で生成された符号化データを復号し、復号して得た像域属性データ中の、第６の圧縮パラメータによって特定されるビットの像域属性を、他の像域属性を示す値に変換し、再圧縮符号化を行う第３の属性符号化手段と、
前記第１の符号化手段、及び、前記第１の符号化手段で圧縮符号化している最中の、それぞれにより生成される符号化データのデータ量の合算符号量が設定量に達したか否かを判断する監視手段と、
該監視手段により、前記合算符号量が前記設定量に達したと判断された場合、前記第１の符号化手段で生成された符号化データのデータ量と、前記第１の属性符号化手段で生成された符号化データのデータ量の相関関係に基づいて、圧縮パラメータを変更する対象として、前記第１乃至第３の画像符号化手段とするか、前記第１乃至第３の属性符号化手段とするかを決定する決定手段と、
該決定手段での決定内容に従い、前記第１乃至第３の画像符号化手段、及び、前記第１乃至第３の属性符号化手段を制御する制御手段と備え、
当該制御手段は、
前記決定手段によって圧縮パラメータを変更する対象を、前記第１乃至第３の画像符号化手段と決定した場合、
前記第２の圧縮パラメータを更新後の前記第１の圧縮パラメータとして
前記第１の画像符号化手段に設定し、前記第２の圧縮パラメータよりも高
い圧縮率となる圧縮パラメータを更新後の前記第２の圧縮パラメータとし
て前記第２の画像符号化手段に設定し、更新後の前記第２の圧縮パラメー
タを前記第３の画像符号化手段に設定し、
前記第１の画像符号化手段に対しては、前記合算符号量が前記設定量に
達する以前の前記第２の画像符号化手段の圧縮符号化処理を継続させ、前
記第３の画像符号化手段に対しては、前記合算符号量が前記設定量に達す
る以前に前記第２の画像符号化手段で生成された符号化データを再符号化
させ、
前記決定手段によって圧縮パラメータを変更する対象を、前記第１乃至第３の属性符号化手段と決定した場合、
前記第５の圧縮パラメータを更新後の前記第４の圧縮パラメータとして
前記第１の属性符号化手段に設定し、前記第５の圧縮パラメータよりも高
い圧縮率となる圧縮パラメータを更新後の前記第５の圧縮パラメータとし
て前記第５の属性符号化手段に設定し、更新後の前記第５の圧縮パラメー
タを前記第６の属性符号化手段に設定し、
前記第１の属性符号化手段に対しては、前記合算符号量が前記設定量に
達する以前の前記第２の属性符号化手段の圧縮処理を継続させ、
前記第３の属性符号化手段に対しては、前記合算符号量が前記設定量に
達する以前に前記第２の属性符号化手段で生成された符号化データを再符
号化させ、
ことを特徴とする画像処理装置。
【請求項７】
画像データ、及び、当該画像データの各画素毎の、複数ビットで表わされる像域属性データを圧縮符号化する画像処理装置の制御方法であって、
第１の画像符号化手段が、入力した画像データを、第１の圧縮パラメータに従って圧縮符号化する第１の画像符号化工程と、
第２の画像符号化手段が、入力した画像データを、前記第１の圧縮パラメータでの圧縮率よりも高い第２の圧縮パラメータに従って圧縮符号化する第２の画像符号化工程と、
第３の画像符号化手段が、前記第２の画像符号化工程で生成された符号化データを復号し、第３の圧縮パラメータに従って、再圧縮符号化する第３の画像符号化工程と、
第１の属性符号化手段が、入力した像域属性データを、第４の圧縮パラメータに従って圧縮符号化する第１の属性符号化工程と、
第２の属性符号化手段が、入力した像域属性データを、前記第４の圧縮パラメータでの圧縮率よりも高い第５の圧縮パラメータに従って圧縮符号化する第２の属性符号化工程と、
第３の属性符号化手段が、前記第２の属性符号化工程で生成された符号化データを復号し、復号して得た像域属性データ中の、圧縮パラメータによって特定されるビットの像域属性を、他の像域属性を示す値に変換し、再圧縮符号化を行う第３の属性符号化工程と、
監視手段が、前記第１の画像符号化工程、及び、前記第１の属性符号化工程で圧縮符号化している最中の、それぞれにより生成される符号化データのデータ量の合算符号量が設定量に達したか否かを判断する監視工程と、
決定手段が、前記監視工程により、前記合算符号量が前記設定量に達したと判断された場合、前記第１の画像符号化工程で生成された符号化データのデータ量と、前記第１の属性符号化工程で生成された符号化データのデータ量の相関関係に基づいて、圧縮パラメータを変更する対象として、前記第１乃至第３の画像符号化工程とするか、前記第１乃至第３の属性符号化工程とするかを決定する決定工程と、
制御手段が、前記決定工程での決定内容に従い、前記第１乃至第３の画像符号化工程、及び、前記第１乃至第３の属性符号化工程を制御する制御工程と備え、
当該制御工程は、
前記決定工程によって圧縮パラメータを変更する対象を、前記第１乃至第３の画像符号化工程と決定した場合、
前記第２の圧縮パラメータを更新後の前記第１の圧縮パラメータとして
前記第１の画像符号化工程に設定し、前記第２の圧縮パラメータよりも高
い圧縮率となる圧縮パラメータを更新後の前記第２の圧縮パラメータとし
て前記第２の画像符号化工程に設定し、更新後の前記第２の圧縮パラメー
タを前記第３の画像符号化工程に設定し、
前記第１の画像符号化工程に対しては、前記合算符号量が前記設定量に
達する以前の前記第２の画像符号化工程の圧縮符号化処理を継続させ、前
記第３の画像符号化工程に対しては、前記合算符号量が前記設定量に達す
る以前に前記第２の画像符号化工程で生成された符号化データを再符号化
させ、
前記決定工程によって圧縮パラメータを変更する対象を、前記第１乃至第３の属性符号化工程と決定した場合、
前記第５の圧縮パラメータを更新後の前記第４の圧縮パラメータとして
前記第１の属性符号化工程に設定し、前記第５の圧縮パラメータよりも高
い圧縮率となる圧縮パラメータを更新後の前記第５の圧縮パラメータとし
て前記第５の属性符号化工程に設定し、更新後の前記第５の圧縮パラメー
タを前記第６の属性符号化工程に設定し、
前記第１の属性符号化工程に対しては、前記合算符号量が前記設定量に
達する以前の前記第２の属性符号化工程の圧縮処理を継続させ、
前記第３の属性符号化工程に対しては、前記合算符号量が前記設定量に
達する以前に前記第２の属性符号化工程で生成された符号化データを再符
号化させ、
ことを特徴とする画像処理装置の制御方法。
【請求項８】
コンピュータに読込ませ実行させることで、請求項１乃至４、又は、請求項６のいずれか１項に記載の画像処理装置として機能させるコンピュータプログラム。
【請求項９】
請求項８に記載のコンピュータプログラムを格納したことを特徴とするコンピュータ可読記憶媒体。
【手続補正３】
【補正対象書類名】明細書
【補正対象項目名】００１１
【補正方法】変更
【補正の内容】
【００１１】
【課題を解決するための手段】
この課題を解決するため、例えば本発明の画像処理装置は以下の構成を備える。すなわち、
画像データ、及び、当該画像データの各画素毎の、複数ビットで表わされる像域属性データを圧縮符号化する画像処理装置であって、
入力した画像データを、画像用の圧縮パラメータに従って圧縮符号化する第１の画像符号化手段と、
該第１の画像符号化手段で生成された符号化データを復号し、前記画像用の圧縮パラメータに従って再圧縮符号化する第２の画像符号化手段と、
入力した像域属性データを、像域用の圧縮パラメータに従って圧縮符号化する第１の属性符号化手段と、
該第１の属性符号化手段で生成された符号化データを復号し、復号して得た像域属性データ中の、前記像域用の圧縮パラメータによって特定されるビットの像域属性を、他の像域属性を示す値に変換し、再圧縮符号化を行う第２の属性符号化手段と、
前記第１の画像符号化手段、及び、前記第１の属性符号化手段で圧縮符号化している最中の、それぞれにより生成される符号化データのデータ量の合算符号量が設定量に達したか否かを判断する監視手段と、
該監視手段により、前記合算符号量が前記設定量に達したと判断された場合、前記第１の画像符号化手段で生成された符号化データのデータ量と、前記第１の属性符号化手段で生成された符号化データのデータ量の相関関係に基づいて、圧縮パラメータの更新対象として、前記第１、第２の画像符号化手段とするか、前記第１、第２の属性符号化手段とするかを決定する決定手段と、
該決定手段によって、圧縮パラメータの更新対象を前記第１、第２の画像符号化手段と決定した場合、前記第１、第２の画像符号化手段の画像用の圧縮パラメータを更新し、前記設定量に達したと判断された後に入力される画像データについては更新後の画像用の圧縮パラメータに従って前記第１の画像符号化手段で圧縮符号化させ、前記設定量に達したと判断される以前に前記第１の画像符号化手段で生成された符号化データについては、更新後の画像用の圧縮パラメータに従って前記第２の画像符号化手段で再圧縮符号化を行なわせ、
前記決定手段によって、圧縮パラメータの変更対象を前記第１、第２の属性符号化手段と決定した場合、前記第１、第２の属性符号化手段の像域用の圧縮パラメータを更新し、前記設定量に達したと判断された後に入力される像域属性データについては更新後の像域用の圧縮パラメータに従って前記第１の属性符号化手段で圧縮符号化させ、前記設定量に達したと判断された以前に前記第１の属性符号化手段で生成された符号化データについては、更新後の像域用の圧縮パラメータに従って前記第２の属性符号化手段で再圧縮符号化を行なわせる制御手段とを備える。